(57)【要約】【課題】フレキシブル流体管を含めた装置全体のコンパクト化を実現する人体局部洗浄装置を提供すること。【解決手段】各フレキシブル供給管３１ａ、３１ｂ、３２は、末端３１１ａ、３１１ｂ、３２１が各洗浄ノズル２１、２２の一方の側面側に位置するとともに、その末端３１１ａ、３１１ｂ、３２１からＵターンするように湾曲して途中部位が支持部１３に支持されており、支持部１３に対して第二フレキシブル供給管３２が支持された部位が、支持部１３に対して第一フレキシブル供給管３１ａ、３１ｂが支持された部位の下方に位置する。【選択図】図３
2014221994.tif 000002
【特許請求の範囲】
【請求項１】
ベース部材と、
このベース部材に対し、進退動作可能に支持された第一洗浄ノズル、およびこの第一洗浄ノズルの上側で進退動作可能に支持された第二洗浄ノズルと、
前記第一洗浄ノズルに洗浄水を供給する一または複数の第一フレキシブル供給管、および前記第二洗浄ノズルに洗浄水を供給する第二フレキシブル供給管と、
前記ベース部材に固定された、前記第一フレキシブル供給管および前記第二フレキシブル供給管の途中部位を支持する支持部と、
を備え、
前記各フレキシブル供給管は、末端が前記各洗浄ノズルの一方の側面側に位置するとともに、その末端からＵターンするように湾曲して途中部位が前記支持部に支持されており、
前記支持部に対して前記第二フレキシブル供給管が支持された部位が、前記支持部に対して前記第一フレキシブル供給管が支持された部位の下方に位置することを特徴とする人体局部洗浄装置。
【請求項２】
前記支持部に対して前記第二フレキシブル供給管が支持された部位が、前記第二フレキシブル供給管の末端が位置する箇所よりも幅方向外側に位置することで、前記第二フレキシブル供給管の湾曲した部位が、最も幅方向外側に位置する前記第一フレキシブル供給管よりも外側に位置することを特徴とする請求項１に記載の人体局部洗浄装置。
【請求項３】
前記第一洗浄ノズルに洗浄水を供給する二つの前記第一フレキシブル供給管を備え、
幅方向における前記支持部に対して前記第二フレキシブル供給管が支持された部位が、前記支持部に対して一方の前記第一フレキシブル供給管が支持された部位と、他方の前記第一フレキシブル供給管が支持された部位の間に位置することを特徴とする請求項２に記載の人体局部洗浄装置。
【発明の詳細な説明】
【技術分野】
【０００１】
本発明は、人体の局部を洗浄する洗浄ノズル、およびそれに接続されるフレキシブル流体管を備える局部洗浄装置に関するものである。
【背景技術】
【０００２】
人体の局部を洗浄する局部洗浄装置として、下記特許文献１に記載のものが公知である。原位置と洗浄位置との間を進退動作する各洗浄ノズルには、それぞれに水を供給するフレキシブル流体管が接続されている。フレキシブル流体管は各洗浄ノズルの進退動作に伴って変形する。
【先行技術文献】
【特許文献】
【０００３】
【特許文献１】特開２００７−２３９２４７号公報
【発明の概要】
【発明が解決しようとする課題】
【０００４】
特許文献１に記載されるような従来の人体局部洗浄装置では、幅方向に並べられた各洗浄ノズルの側面にフレキシブル流体管が接続され、そのフレキシブル流体管が幅方向に並ぶ構成となっているため、装置全体の幅方向の大きさが大きくなってしまうという問題がある。
【０００５】
本発明が解決しようとする課題は、フレキシブル流体管を含めた装置全体のコンパクト化を実現する人体局部洗浄装置を提供することである。
【課題を解決するための手段】
【０００６】
上記課題を解決するために本発明にかかる人体局部洗浄装置は、ベース部材と、このベース部材に対し、進退動作可能に支持された第一洗浄ノズル、およびこの第一洗浄ノズルの上側で進退動作可能に支持された第二洗浄ノズルと、前記第一洗浄ノズルに洗浄水を供給する一または複数の第一フレキシブル供給管、および前記第二洗浄ノズルに洗浄水を供給する第二フレキシブル供給管と、前記ベース部材に固定された、前記第一フレキシブル供給管および前記第二フレキシブル供給管の途中部位を支持する支持部と、を備え、前記各フレキシブル供給管は、末端が前記各洗浄ノズルの一方の側面側に位置するとともに、その末端からＵターンするように湾曲して途中部位が前記支持部に支持されており、前記支持部に対して前記第二フレキシブル供給管が支持された部位が、前記支持部に対して前記第一フレキシブル供給管が支持された部位の下方に位置することを特徴とする。
【０００７】
前記支持部に対して前記第二フレキシブル供給管が支持された部位が、前記第二フレキシブル供給管の末端が位置する箇所よりも幅方向外側に位置することで、前記第二フレキシブル供給管の湾曲した部位が、最も幅方向外側に位置する前記第一フレキシブル供給管よりも外側に位置していればよい。
【０００８】
前記第一洗浄ノズルに洗浄水を供給する二つの前記第一フレキシブル供給管を備え、幅方向における前記支持部に対して前記第二フレキシブル供給管が支持された部位が、前記支持部に対して一方の前記第一フレキシブル供給管が支持された部位と、他方の前記第一フレキシブル供給管が支持された部位の間に位置していればよい。
【発明の効果】
【０００９】
本発明にかかる局部洗浄装置では、第一洗浄ノズルと第二洗浄ノズルが上下方向に並べて配置され、それぞれに対して接続される第一フレキシブル供給管と第二フレキシブル供給管の途中部位が支持部に支持される。第一フレキシブル供給管は、末端が第一洗浄ノズルの一方の側面側に位置し、そこからＵターンするようにして途中部位が支持部に支持される。一方、第二フレキシブル供給管は、末端が第二洗浄ノズルの一方の側面側に位置し、そこからＵターンするようにして途中部位が支持部に対して第一フレキシブル供給管が支持された部位の下方に位置する。つまり、両洗浄ノズルが上下方向に並んで配置されるとともに両フレキシブル供給管も上下方向に並んで配置される構成であるため、従来よりも幅方向の大きさが小さくなり、装置全体としてコンパクトになる。
【００１０】
支持部に対して第二フレキシブル供給管が支持された部位を、第二フレキシブル供給管の末端が位置する箇所よりも幅方向外側に位置させれば、第二フレキシブル供給管は幅方向外側に膨らむようにして湾曲する。つまり、第二フレキシブル供給管の湾曲した部位を、最も幅方向外側に位置する第一フレキシブル供給管よりも外側に位置させることができるから、第二洗浄ノズルのみを前進させたときにそれに伴って移動する第二フレキシブル供給管は、第一フレキシブル供給管の幅方向外側を移動することになる（両フレキシブル供給管の干渉を防止することができる）。
【００１１】
二つの第一フレキシブル供給管が設けられる場合、幅方向における支持部に対して第二フレキシブル供給管が支持された部位を、支持部に対して一方の第一フレキシブル供給管が支持された部位と、他方の第一フレキシブル供給管が支持された部位との間に位置させる構成としても、第二フレキシブル供給管の湾曲した部位を、最も幅方向外側に位置する第一フレキシブル供給管よりも外側に位置させることができる。
【図面の簡単な説明】
【００１２】
【図１】本発明の一実施形態にかかる人体局部洗浄装置の外観図である。
【図２】支持部を図１に示したＡ方向から見た図である。
【図３】図１に示した人体局部洗浄装置の平面図（上方から見た図）であって、両洗浄ノズルが原位置に位置した状態を示したものである。
【図４】図１に示した人体局部洗浄装置の平面図（上方から見た図）であって、第一洗浄ノズルが洗浄位置（前進端）に、第二洗浄ノズルが原位置に位置した状態を示したものである。
【図５】図１に示した人体局部洗浄装置の平面図（上方から見た図）であって、第二洗浄ノズルが洗浄位置（前進端）に、第一洗浄ノズルが原位置に位置した状態を示したものである。
【発明を実施するための形態】
【００１３】
以下、本発明の一実施形態にかかる人体局部洗浄装置１について、図１〜図５を参照しつつ詳細に説明する。なお、以下の説明において幅方向とは洗浄ノズル２１、２２の幅方向に沿う方向（図１に示すＸ方向）をいい、前後方向とは洗浄ノズル２１、２２が進退動作する方向に沿う方向（図１に示すＹ方向）をいい、上下方向とは幅方向および前後方向に直交する方向（図１に示すＺ方向）をいうものとする。上下方向は、重力方向に沿う方向であってもよいし、重力方向に対して一定角度傾斜した方向であってもよい。
【００１４】
本発明の一実施形態にかかる人体局部洗浄装置１は、ベース部材１０と、第一洗浄ノズル２１および第二洗浄ノズル２２と、第一フレキシブル供給管３１ａ、３１ｂおよび第二フレキシブル供給管３２と、を備える。ベース部材１０は、両洗浄ノズル２１、２２や各フレキシブル供給管３１ａ、３１ｂ、３２、これらの洗浄ノズル２１、２２を駆動するための駆動ユニット１２を支持する部材である。ベース部材１０は、原位置に位置する両洗浄ノズル２１、２２が収容されるケース部１１、各フレキシブル供給管３１ａ、３１ｂ、３２の途中部位を支持する支持部１３を有する。
【００１５】
洗浄ノズル２１、２２は、その長手方向に沿って進退動作する部材である。本実施形態にかかる人体局部洗浄装置１は、おしり用洗浄ノズルである第一洗浄ノズル２１と、この第一洗浄ノズル２１の上側に位置するビデ用洗浄ノズルである第二洗浄ノズル２２と、を有する。上記ケース部１１には、上下に区画された前後方向に長い二つの空間が形成されており、下側の空間に第一洗浄ノズル２１が、上側の空間に第二洗浄ノズル２２が収容される。両空間の前側は開放している（開口１１１）。
【００１６】
上記駆動ユニット１２は、両洗浄ノズル２１、２２を進退動作させるためのユニットである。この駆動ユニット１２は、両洗浄ノズル２１、２２を独立して進退動作させることができるものであれば特定の構造のものに限定されない。そのため、詳細な説明は省略する。例えば、駆動源であるモータと、その動力を伝達する歯車等の動力伝達部材から構成される。各洗浄ノズル２１、２２には、駆動ユニット１２の出力歯車に噛み合うラックが形成されており（ケース部１１における駆動ユニット１２側には、ラックを露出させるための開口（図示せず）が形成されている）、出力歯車の正転・逆転を切り替えることにより、各洗浄ノズル２１、２２がケース部１１から突出するように前進したり、ケース部１１に収まるように後退したりする。
【００１７】
各洗浄ノズル２１、２２の先端側上面には、洗浄水を噴出する噴出口２１１、２２１が形成されている。フレキシブル供給管３１ａ、３１ｂ、３２は、水源から供給される水を洗浄水として各洗浄ノズル２１、２２に送給するための供給管である。各フレキシブル供給管３１ａ、３１ｂ、３２は、弾性変形可能な材料で形成されている。本実施形態では、おしり用洗浄ノズルである第一洗浄ノズル２１には、二つの第一フレキシブル供給管（以下、一方の第一フレキシブル供給管３１ａ、他方の第一フレキシブル供給管３１ｂとして区別することもある）が、ビデ用洗浄ノズルである第二洗浄ノズル２２には、一つの第二フレキシブル供給管３２が接続されている。おしり用洗浄ノズルである第一洗浄ノズル２１に二つの第一フレキシブル供給管３１ａ、３１ｂが接続されているのは、当該第一洗浄ノズル２１内に二つの流体流路を形成することで、洗浄水の噴出態様を変化に富んだものとする等のためである。このようにある洗浄ノズルへの水の供給路が複数設定されるものは、上記特許文献１に記載されるように公知であるため詳細な説明は省略する。本実施形態では、ベース部材１０に図示されないバルブが固定されており、当該バルブを制御することによって、各洗浄ノズル２１、２２への水の送給の切替、および流量の調整等を行う。
【００１８】
各フレキシブル供給管３１ａ、３１ｂ、３２は、各洗浄ノズル２１、２２に接続された継手部材４１ａ、４１ｂ、４２を介して各洗浄ノズル２１、２２内に形成された流体流路に接続されている。具体的には、各フレキシブル供給管３１ａ、３１ｂ、３２の末端３１１ａ、３１１ｂ、３２１（洗浄ノズル２１、２２側の端部をいう。以下同じ）が継手部材４１ａ、４１ｂ、４２の一方側端部に接続され、継手部材４１ａ、４１ｂ、４２の他方側端部が各洗浄ノズル２１、２２に接続されている。継手部材４１ａ、４１ｂ、４２は、略「Ｌ」字側に形成された部材である。具体的には、各洗浄ノズル２１、２２の一方の側面側から幅方向に延びる部分と、その幅方向に延びる部分の先端から屈曲し、後方に向かって延びる部分とを含む。各フレキシブル供給管３１ａ、３１ｂ、３２の末端３１１ａ、３１１ｂ、３２１は、継手部材４１ａ、４１ｂ、４２における後方に向かって延びる部分に接続されている。
【００１９】
なお、上記ケース部１１の一方側側面には、各継手部材４１ａ、４１ｂ、４２を接続するためのスリット１１２が形成されている。スリット１１２は、第一洗浄ノズル２１に対応するものと、第二洗浄ノズル２２に対応するものとが形成され、各洗浄ノズル２１、２２の長手方向に沿って形成される。各洗浄ノズル２１、２２が進退動作する際には、各継手部材は当該スリット１１２内をスライドする。
【００２０】
本実施形態では、第一洗浄ノズル２１に一方の第一フレキシブル供給管３１ａを接続するための一方の第一継手部材４１ａと、第二洗浄ノズル２２に第二フレキシブル供給管３２を接続するための第二継手部材４２は同じ形状である。つまり、幅方向における一方の第一フレキシブル供給管３１ａの末端３１１ａの位置（第一洗浄ノズル２１の一方の側面から一方の第一フレキシブル供給管３１ａの末端３１１ａまでの距離）と、幅方向における第二フレキシブル供給管３２の末端３２１の位置（第二洗浄ノズル２２の一方の側面から第二フレキシブル供給管３２の末端３２１までの距離）は同じである。
【００２１】
一方、第一洗浄ノズル２１に他方の第一フレキシブル供給管３１ｂを接続するための他方の第一継手部材４１ｂは、上記一方の第一継手部材４１ａや第二継手部材４２と形状が異なる。具体的には、他方の第一継手部材４１ｂの方が、一方の第一継手部材４１ａや第二継手部材４２よりも、洗浄ノズル２１、２２の一方の側面側から幅方向に延びる部分の長さが長い。換言すれば、他方の第一継手部材４１ｂの方が、一方の第一継手部材４１ａや第二継手部材４２よりも、洗浄ノズル２１、２２の一方の側面と上記後方に向かって延びる部分との距離が大きい。それゆえ、他方の第一継手部材４１ｂに接続される他方の第一フレキシブル供給管３１ｂの末端３１１ｂの位置は、上記一方の第一フレキシブル供給管３１ａや第二フレキシブル供給管３２の末端３１１ａ、３２１の位置よりも幅方向外側である。また、第一洗浄ノズル２１は第二洗浄ノズル２２の下方に位置するから、第二フレキシブル供給管３２の末端３２１は、両第一フレキシブル供給管３１ａ、３１ｂの末端３１１ａ、３１１ｂよりも上方に位置する。さらに、一方の第一フレキシブル供給管３１ａの末端３１１ａと他方の第一フレキシブル供給管３１ｂの末端３１１ｂの上下方向における位置（高さ方向位置）は同じである。
【００２２】
各フレキシブル供給管３１ａ、３１ｂ、３２は、継手部材４１ａ、４１ｂ、４２に接続された末端３１１ａ、３１１ｂ、３２１から後方に延び、そこからＵターンするように湾曲して前方に延びる。この前方に延びる部分の途中部位が、ベース部材１０に設けられた支持部１３に支持されている。この支持部１３に対して各フレキシブル供給管３１ａ、３１ｂ、３２が支持された部位（図２に示す、一方の第一フレキシブル供給管３１ａが通される貫通孔１３１ａ、他方の第一フレキシブル供給管３１ｂが通される貫通孔１３１ｂ、第二フレキシブル供給管３２が通される貫通孔１３２）の位置関係は次の通りである。
【００２３】
支持部１３に対して第二フレキシブル供給管３２が支持された部位は、支持部１３に対して第一フレキシブル供給管３１ａ、３１ｂが支持された部位よりも下方である。上述したように、第二フレキシブル供給管３２の末端３２１は、両第一フレキシブル供給管３１ａ、３１ｂの末端３１１ａ、３１１ｂよりも上方に位置するから、両洗浄ノズル２１、２２が原位置に位置する状態において、第二フレキシブル供給管３２は、両第一フレキシブル供給管３１ａ、３１ｂの外側を周るように配される。すなわち、両第一フレキシブル供給管３１ａ、３１ｂの湾曲した部分の曲率は、第二フレキシブル供給管３２の湾曲した部分の曲率よりも大きい。
【００２４】
支持部１３に対して一方の第一フレキシブル供給管３１ａが支持された部位と、支持部１３に対して他方の第一フレキシブル供給管３１ｂが支持された部位は幅方向に並ぶ。すなわち、両部位の上下方向における位置は同じである。また、支持部１３に対して一方の第一フレキシブル供給管３１ａが支持された部位は、当該一方の第一フレキシブル供給管３１ａの末端３１１ａと幅方向における位置が同じである。同様に、支持部１３に対して他方の第一フレキシブル供給管３１ｂが支持された部位は、当該他方の第一フレキシブル供給管３１ｂの末端３１１ｂと幅方向における位置が同じである。また、両第一フレキシブル供給管３１ａ、３１ｂが通される支持部１３に形成された貫通孔１３１ａ、１３１ｂの軸線は、前後方向に平行である（幅方向に変位しない）（図２参照）。したがって、上方から見ると、両第一フレキシブル供給管３１ａ、３１ｂにおける末端３１１ａ、３１１ｂから支持部１３に支持された部位までの区間は、幅方向における位置が変位しない。換言すれば、当該区間においては、幅方向において洗浄ノズル２１、２２の一方の側面からの距離が一定である。
【００２５】
これに対し、支持部１３に対して第二フレキシブル供給管３２が支持された部位は、当該第二フレキシブル供給管３２の末端３２１が位置する箇所よりも幅方向外側に位置する。また、第二フレキシブル供給管３２が通される支持部１３に形成された貫通孔１３２の軸線は、第二フレキシブル供給管３２の末端３２１側から幅方向内側に向かって（洗浄ノズル２１、２２側に向かって）傾斜している（図２参照）。そのため、上方から見ると、第二フレキシブル供給管３２は、その末端３２１からだんだんと幅方向外側に向かうように後方に向かって延びていき、湾曲した部分で変位し、そこから段々と幅方向内側に向かうように前方に向かって延びて支持部１３に到達する、という経路を辿る。そして、この第二フレキシブル供給管３２における最も幅方向外側に位置する部位（湾曲した部分）は、幅方向における位置が変位しない複数の第一フレキシブル供給管における最も幅方向外側に位置する第一フレキシブル供給管（本実施形態では他方の第一フレキシブル供給管３１ｂ）よりも幅方向外側に位置する（図３参照）。
【００２６】
ここで、本実施形態にかかる人体局部洗浄装置１は、二つの第一フレキシブル供給管３１ａ、３１ｂを有するものであるが、支持部１３に対して第二フレキシブル供給管３２が支持された部位は、支持部１３に対して一方の第一フレキシブル供給管３１ａが支持された部位と、他方の第一フレキシブル供給管３１ｂが支持された部位の間に位置する支持部１３に対して一方の第一フレキシブル供給管３１ａが支持された部位と、他方の第一フレキシブル供給管３１ｂが支持された部位の間に位置する（図２参照）。このように、支持部１３に対して第二フレキシブル供給管３２が支持された部位が、支持部１３に対して他方の第一フレキシブル供給管３１ｂが支持された部位よりも幅方向外側に位置するように設定しなくても、第二フレキシブル供給管３２における湾曲した部分は、幅方向における位置が変位しない他方の第一フレキシブル供給管３１ｂよりも幅方向外側に位置する。
【００２７】
本実施形態のようにＵターンさせて第二フレキシブル供給管３２が配される構成である場合、末端３２１の位置よりも支持部１３に対して支持される部位が幅方向外側に位置するようにすれば、湾曲した部分で一旦大きく幅方向外側に膨らんで支持部１３に到達するような経路を辿ることとなるから、支持部１３に対して支持される部位を上述したような位置に設定したとしても、第二フレキシブル供給管３２における湾曲した部分が他方の第一フレキシブル供給管３１ｂよりも幅方向外側を通るように構成することができる。換言すれば、このように湾曲した部分が他方の第一フレキシブル供給管３１ｂよりも幅方向外側を通るように、フレキシブル供給管を形成する材料を選定したり、支持部１３に対して支持される部位を調整したりすればよい。
【００２８】
上記構成を備える本実施形態にかかる人体局部洗浄装置１によれば、次のような作用効果が奏される。
【００２９】
本実施形態にかかる局部洗浄装置では、第一洗浄ノズル２１と第二洗浄ノズル２２が上下方向に並べて配置され、それぞれに対して接続される第一フレキシブル供給管３１ａ、３１ｂと第二フレキシブル供給管３２の途中部位が支持部１３に支持される。第一フレキシブル供給管３１ａ、３１ｂは、末端３１１ａ、３１１ｂが第一洗浄ノズル２１の一方の側面側に位置し、そこからＵターンするようにして途中部位が支持部１３に支持される。一方、第二フレキシブル供給管３２は、末端３２１が第二洗浄ノズル２２の一方の側面側に位置し、そこからＵターンするようにして途中部位が支持部１３に対して第一フレキシブル供給管３１ａ、３１ｂが支持された部位の下方に位置する。つまり、両洗浄ノズル２１、２２が上下方向に並んで配置されるとともに第一フレキシブル供給管３１ａ、３１ｂと第二フレキシブル供給管３２も上下方向に並んで配置される構成であるため、従来よりも幅方向の大きさが小さくなり、装置全体としてコンパクトになる。
【００３０】
また、支持部１３に対して第二フレキシブル供給管３２が支持された部位は、第二フレキシブル供給管３２の末端３２１が位置する箇所よりも幅方向外側に位置するため、第二フレキシブル供給管３２は幅方向外側に膨らむようにして湾曲し、当該湾曲した部位は、最も幅方向外側に位置する他方の第一フレキシブル供給管３１ｂよりも外側に位置する。そのため、第二洗浄ノズル２２のみを前進させたときにそれに伴って移動する第二フレキシブル供給管３２は、他方の第一フレキシブル供給管３１ｂの幅方向外側を移動することになり（第二洗浄ノズル２２が前進しても、湾曲した部位の幅方向位置はほとんど変化しない）、第一フレキシブル供給管３１ａ、３１ｂと第二フレキシブル供給管３２の干渉が防止される（図５参照）。
【００３１】
なお、第一洗浄ノズル２１に接続された第一フレキシブル供給管３１ａ，３１ｂは、第二フレキシブル供給管３２よりも内側（前側）に位置するから、第一洗浄ノズル２１のみを前進させたときに、第一フレキシブル供給管３１ａ，３１ｂが第二フレキシブル供給管３２に干渉することはない（図４参照）。
【００３２】
また、本実施形態のように、二つの第一フレキシブル供給管３１ａ、３１ｂが設けられる場合、幅方向における支持部１３に対して第二フレキシブル供給管３２が支持された部位を、支持部１３に対して一方の第一フレキシブル供給管３１ａが支持された部位と、他方の第一フレキシブル供給管３１ｂが支持された部位との間に位置させる構成としても、第二フレキシブル供給管３２の湾曲した部位を、他方の第一フレキシブル供給管３１ｂよりも外側に位置させることができる。
【００３３】
特に、本実施形態のように、第二フレキシブル供給管３２が通される支持部１３に形成された貫通孔１３２の軸線を、第二フレキシブル供給管３２の末端３２１側から幅方向内側に向かって（洗浄ノズル２１、２２側に向かって）傾斜するようにすれば、第二フレキシブル供給管３２の弾性により、当該第二フレキシブル供給管３２の湾曲した部位が大きく幅方向外側に膨らむことになるから、当該湾曲した部位を他方の第一フレキシブル供給管３１ｂよりも外側に位置させることが容易になる。
【００３４】
以上、本発明の実施形態について詳細に説明したが、本発明は上記実施形態に何ら限定されるものではなく、本発明の要旨を逸脱しない範囲で種々の改変が可能である。
【符号の説明】
【００３５】
１  人体局部洗浄装置
１０  ベース部材
１３  支持部
１３１ａ  一方の第一フレキシブル供給管が通される貫通孔
１３１ｂ  他方の第一フレキシブル供給管が通される貫通孔    
１３２  第二フレキシブル供給管が通される貫通孔  
２１  第一洗浄ノズル
２２  第二洗浄ノズル
３１ａ  一方の第一フレキシブル供給管
３１１ａ  一方の第一フレキシブル供給管の末端
３１ｂ  他方の第一フレキシブル供給管
３１１ｂ  他方の第一フレキシブル供給管の末端
３２  第二フレキシブル供給管
３２１  第二フレキシブル供給管の末端
【図１】
2014221994.tif 000003
【図２】
2014221994.tif 000004
【図３】
2014221994.tif 000005
【図４】
2014221994.tif 000006
【図５】
2014221994.tif 000007